(57)【要約】【課題】本発明は環境配慮型の海上船舶指示設備を開示した。    【解決手段】指示器ベースと指示器頂部とを含み、前記指示器頂部が前記指示器ベースの上端面と固定的に連結され、前記指示器頂部の中には左右端壁が外部空間に連通している作業チャンバが設置され、前記作業チャンバの中には風力発電機構が設置され、前記風力発電機構は左右対称の二つのファン羽根を含み、前記ファン羽根が回転でき、本装置は暗礁の近くに装着され、太陽エネルギーと風力エネルギーとを利用して発電でき、非常に環境にやさしく、夜の時に海上の風向の変化によって照明をつけ、また旋転往復の照射によって指示を提供し、更に目立つであり、近くの船に暗礁の存在を注意し、船が暗礁にぶつかって危険をもたらすことを避ける。【選択図】図１
2020203662.tif 000002
【特許請求の範囲】
【請求項１】
正面視で、指示器ベースと指示器頂部とを含み、前記指示器頂部が前記指示器ベースの上端面と固定的に連結され、
前記指示器頂部の中には左右端壁が外部空間に連通している作業チャンバが設置され、前記作業チャンバの中には風力発電機構が設置され、前記風力発電機構は左右対称の二つのファン羽根を含み、前記ファン羽根が回転でき、前記作業チャンバの後端壁には発電機が左右対称的に装着され、前記ファン羽根が回転する時、前記発電機により発電でき、
前記指示器ベースの中には上方へ開口した旋転溝が設置され、前記旋転溝の中には指示機構が設置され、前記指示機構は回転できる電源を含み、前記電源の中には上下に運動できるプラグが設置され、前記プラグの上端面には磁石ブロックが固定的に設置され、前記プラグの左右両側には前記プラグに連通している指示灯が対称的に設置され、前記風力発電機構が発電して電気を前記電源の中に貯蔵することができ、前記風力発電機構と前記磁石ブロックとの間には吸引力が存在し、前記風力発電機構が作動する中で前記磁石ブロックとの間の吸引力が小さくなり、これにより前記プラグが前記電源の中に差し込まれ、これにより二つの前記指示灯が通電して発光し、
前記指示機構の下側には動力機構が設置され、前記プラグを前記電源の中に差し込んだ時に前記動力機構を作動させられ、前記動力機構が前記指示機構を連動させて往復に正逆回転させることができることを特徴とする環境配慮型の海上船舶指示設備。
【請求項２】
前記風力発電機構はまた前記作業チャンバの後端壁に回転できるように連結された中心軸を含み、前記中心軸には磁石ロッドと半ギヤとが固定的に設置され、前記半ギヤが前記磁石ロッドの前側に位置しており、前記発電機のうち前記中心軸から離れている端面には発電軸が回転できるように設置され、前記発電軸の中には前記中心軸から離れている方向へ開口した弾性溝が設置され、前記弾性溝の上下端壁には移動溝が対称的に設置され、前記弾性溝のうち前記中心軸に近接している端壁には弾性ばねが固定的に設置され、前記弾性ばねのうち前記中心軸から離れている一端には右端が外部空間の中に位置しているファン軸が固定的に設置され、前記弾性溝の中の前記ファン軸の上下端面には前記移動溝とスライドできるように連結された移動ロッドが固定的に設置され、前記作業チャンバの中の前記ファン軸には円形板が固定的に設置され、外部空間の中の前記ファン軸には四つの前記ファン羽根が固定的に設置されていることを特徴とする請求項１に記載の環境配慮型の海上船舶指示設備。
【請求項３】
前記指示器頂部の左右端面には雨よけ板が固定的に設置され、前記作業チャンバの上端壁には下方へ開口した弾力溝が設置され、前記弾力溝の右端壁には弾力ばねが固定的に設置され、前記弾力ばねの左端には前記弾力溝とスライドできるように連結された弾力ロッドが固定的に設置され、前記弾力ロッドの下端が前記作業チャンバの中に位置しており、また前記弾力ロッドの下端には第一ラックが固定的に設置され、前記作業チャンバの下端壁の中には水平移動溝が設置され、前記水平移動溝が上方へ開口しており、前記水平移動溝の左端壁には水平移動ばねが固定的に設置され、前記水平移動ばねの右端には前記水平移動溝とスライドできるように連結された水平移動ロッドが固定的に設置され、前記水平移動ロッドの上端が前記作業チャンバの中に位置しており、また前記水平移動ロッドの上端には第二ラックが固定的に設置されていることを特徴とする請求項２に記載の環境配慮型の海上船舶指示設備。
【請求項４】
前記指示機構はまた前記旋転溝の上端壁の中に位置している頂部チャンバを含み、前記頂部チャンバの上端壁が前記作業チャンバに連通しており、前記頂部チャンバと前記旋転溝とが円形溝により連通され、前記円形溝の外端壁にはガラス板が嵌設され、前記指示灯と前記プラグとが導電ロッドにより連通され、前記プラグと前記電源とが二つの圧力ばねにより固定的に連結され、前記電源と二つの前記発電機とが二つの第一電線により連通され、前記旋転溝の端壁の中には環状溝が設置され、前記電源には前記環状溝とスライドできるように連結された弧状板が左右対称的に固定的に設置され、前記電源の下端面には底部ブロックが固定的に設置されていることを特徴とする請求項１に記載の環境配慮型の海上船舶指示設備。
【請求項５】
前記動力機構は前記旋転溝の下端壁と固定的に連結された動力モータを含み、前記動力モータと前記プラグとが第二電線により連通され、前記動力モータの上端面には動力軸が回転できるように設置され、前記動力軸には第一セクタギヤと第二セクタギヤとが固定的に設置され、前記第二セクタギヤが前記第一セクタギヤの上側に位置しており、前記動力軸の左側には前記旋転溝の下端壁と回転できるように連結された第一出力軸が設置され、前記第一出力軸には第一伝動ギヤと第二伝動ギヤとが固定的に設置され、前記第二伝動ギヤが前記第一伝動ギヤの上側に位置しており、前記第一伝動ギヤと前記第二セクタギヤとが伝動可能に噛み合い、前記動力軸の右側には前記旋転溝の下端壁と回転できるように連結された第二出力軸と第三出力軸とが設置され、前記第三出力軸が前記第二出力軸の右側に位置しており、前記第二出力軸の上端には頂部ギヤが固定的に設置され、前記第三出力軸には第一連動ギヤと第二連動ギヤとが固定的に設置され、前記第一連動ギヤが前記第二連動ギヤの下側に位置しており、前記第一連動ギヤと前記頂部ギヤとが伝動可能に噛み合い、前記電源の下端面の中心には粗軸が固定的に設置され、前記粗軸には大ギヤが固定的に設置され、前記大ギヤがそれぞれ前記第二伝動ギヤと前記第二連動ギヤと伝動可能に噛み合っていることを特徴とする請求項１に記載の環境配慮型の海上船舶指示設備。
【請求項６】
前記底部ブロックと前記電源とが連通され、前記底部ブロックの中には弧状溝が設置され、前記弧状溝の中には弧状ブロックが左右対称的にスライドできるように設置され、前記弧状ブロックのうち前記底部ブロックから離れている端面には支持ロッドが固定的に設置され、前記支持ロッドのうち前記底部ブロックから離れている一端が外部空間に位置しており、また前記支持ロッドのうち前記底部ブロックから離れている一端にはソーラーパネルが固定的に設置されていることを特徴とする請求項１又は請求項４に記載の環境配慮型の海上船舶指示設備。
【請求項７】
前記磁石ロッドと前記磁石ブロックとの間には吸引力が存在し、前記圧力ばねが引っ張られる状態にあることを特徴とする請求項２又は請求項４に記載の環境配慮型の海上船舶指示設備。
【請求項８】
前記指示器ベースの下端面には二つのゴム球が左右対称的に固定的に装着され、前記指示器ベースの下端面にはロープが固定的に設置され、前記ロープの下端には錨が固定的に設置され、前記ゴム球が中空材質であり、前記ガラス板が透明防塵材質であることを特徴とする請求項１に記載の環境配慮型の海上船舶指示設備。
【発明の詳細な説明】
【技術分野】
【０００１】
本発明は船舶指示器分野を取り上げて、具体的には環境配慮型の海上船舶指示設備である。
【背景技術】
【０００２】
船舶は海上航行する時に天気の影響を受けて方向を迷いやすく、また航行中に暗礁にぶつかり損害を受ける恐れがあり、現在の船舶の指示設備が主に灯台であり、人で灯台を見張る必要があり、比較的に危険で人力の浪費とも言え、さらに、暗礁のところの灯台の指示もそれほど目立たなく、往来の船舶をタイムリーに制止できない。
【先行技術文献】
【特許文献】
【０００３】
【特許文献１】中国特許出願公開第１０８７５９１２１号明細書
【発明の概要】
【発明が解決しようとする課題】
【０００４】
本発明は環境配慮型の海上船舶指示設備を提供し、人で灯台の番をすることが危険であり、暗礁の指示がそれほど目立たないなどの従来技術における問題を解決することを目的とする。
【課題を解決するための手段】
【０００５】
本発明は以下の技術プランによって実現される：
【０００６】
本発明の環境配慮型の海上船舶指示設備の機械機構模式図を交え、本発明の環境配慮型の海上船舶指示設備は、指示器ベースと指示器頂部とを含み、前記指示器頂部が前記指示器ベースの上端面と固定的に連結され、
前記指示器頂部の中には左右端壁が外部空間に連通している作業チャンバが設置され、前記作業チャンバの中には風力発電機構が設置され、前記風力発電機構は左右対称の二つのファン羽根を含み、前記ファン羽根が回転でき、前記作業チャンバの後端壁には発電機が左右対称的に装着され、前記ファン羽根が回転する時、前記発電機により発電でき、
前記指示器ベースの中には上方へ開口した旋転溝が設置され、前記旋転溝の中には指示機構が設置され、前記指示機構は回転できる電源を含み、前記電源の中には上下に運動できるプラグが設置され、前記プラグの上端面には磁石ブロックが固定的に設置され、前記プラグの左右両側には前記プラグに連通している指示灯が対称的に設置され、前記風力発電機構が発電して電気を前記電源の中に貯蔵することができ、前記風力発電機構と前記磁石ブロックとの間には吸引力が存在し、前記風力発電機構が作動する中で前記磁石ブロックとの間の吸引力が小さくなり、これにより前記プラグが前記電源の中に差し込まれ、これにより二つの前記指示灯が通電して発光し、
前記指示機構の下側には動力機構が設置され、前記プラグを前記電源の中に差し込んだ時に前記動力機構を作動させられ、前記動力機構が前記指示機構を連動させて往復に正逆回転させることができる。
【０００７】
好ましくは、前記風力発電機構はまた前記作業チャンバの後端壁に回転できるように連結された中心軸を含み、前記中心軸には磁石ロッドと半ギヤとが固定的に設置され、前記半ギヤが前記磁石ロッドの前側に位置しており、前記発電機のうち前記中心軸から離れている端面には発電軸が回転できるように設置され、前記発電軸の中には前記中心軸から離れている方向へ開口した弾性溝が設置され、前記弾性溝の上下端壁には移動溝が対称的に設置され、前記弾性溝のうち前記中心軸に近接している端壁には弾性ばねが固定的に設置され、前記弾性ばねのうち前記中心軸から離れている一端には右端が外部空間の中に位置しているファン軸が固定的に設置され、前記弾性溝の中の前記ファン軸の上下端面には前記移動溝とスライドできるように連結された移動ロッドが固定的に設置され、前記作業チャンバの中の前記ファン軸には円形板が固定的に設置され、外部空間の中の前記ファン軸には四つの前記ファン羽根が固定的に設置されている。
【０００８】
好ましくは、前記指示器頂部の左右端面には雨よけ板が固定的に設置され、前記作業チャンバの上端壁には下方へ開口した弾力溝が設置され、前記弾力溝の右端壁には弾力ばねが固定的に設置され、前記弾力ばねの左端には前記弾力溝とスライドできるように連結された弾力ロッドが固定的に設置され、前記弾力ロッドの下端が前記作業チャンバの中に位置しており、また前記弾力ロッドの下端には第一ラックが固定的に設置され、前記作業チャンバの下端壁の中には水平移動溝が設置され、前記水平移動溝が上方へ開口しており、前記水平移動溝の左端壁には水平移動ばねが固定的に設置され、前記水平移動ばねの右端には前記水平移動溝とスライドできるように連結された水平移動ロッドが固定的に設置され、前記水平移動ロッドの上端が前記作業チャンバの中に位置しており、また前記水平移動ロッドの上端には第二ラックが固定的に設置されている。
【０００９】
好ましくは、前記指示機構はまた前記旋転溝の上端壁の中に位置している頂部チャンバを含み、前記頂部チャンバの上端壁が前記作業チャンバに連通しており、前記頂部チャンバと前記旋転溝とが円形溝により連通され、前記円形溝の外端壁にはガラス板が嵌設され、前記指示灯と前記プラグとが導電ロッドにより連通され、前記プラグと前記電源とが二つの圧力ばねにより固定的に連結され、前記電源と二つの前記発電機とが二つの第一電線により連通され、前記旋転溝の端壁の中には環状溝が設置され、前記電源には前記環状溝とスライドできるように連結された弧状板が左右対称的に固定的に設置され、前記電源の下端面には底部ブロックが固定的に設置されている。
【００１０】
好ましくは、前記動力機構は前記旋転溝の下端壁と固定的に連結された動力モータを含み、前記動力モータと前記プラグとが第二電線により連通され、前記動力モータの上端面には動力軸が回転できるように設置され、前記動力軸には第一セクタギヤと第二セクタギヤとが固定的に設置され、前記第二セクタギヤが前記第一セクタギヤの上側に位置しており、前記動力軸の左側には前記旋転溝の下端壁と回転できるように連結された第一出力軸が設置され、前記第一出力軸には第一伝動ギヤと第二伝動ギヤとが固定的に設置され、前記第二伝動ギヤが前記第一伝動ギヤの上側に位置しており、前記第一伝動ギヤと前記第二セクタギヤとが伝動可能に噛み合い、前記動力軸の右側には前記旋転溝の下端壁と回転できるように連結された第二出力軸と第三出力軸とが設置され、前記第三出力軸が前記第二出力軸の右側に位置しており、前記第二出力軸の上端には頂部ギヤが固定的に設置され、前記第三出力軸には第一連動ギヤと第二連動ギヤとが固定的に設置され、前記第一連動ギヤが前記第二連動ギヤの下側に位置しており、前記第一連動ギヤと前記頂部ギヤとが伝動可能に噛み合い、前記電源の下端面の中心には粗軸が固定的に設置され、前記粗軸には大ギヤが固定的に設置され、前記大ギヤがそれぞれ前記第二伝動ギヤと前記第二連動ギヤと伝動可能に噛み合っている。
【００１１】
好ましくは、前記底部ブロックと前記電源とが連通され、前記底部ブロックの中には弧状溝が設置され、前記弧状溝の中には弧状ブロックが左右対称的にスライドできるように設置され、前記弧状ブロックのうち前記底部ブロックから離れている端面には支持ロッドが固定的に設置され、前記支持ロッドのうち前記底部ブロックから離れている一端が外部空間に位置しており、また前記支持ロッドのうち前記底部ブロックから離れている一端にはソーラーパネルが固定的に設置されている。
【００１２】
好ましくは、前記磁石ロッドと前記磁石ブロックとの間には吸引力が存在し、前記圧力ばねが引っ張られる状態にある。
【００１３】
好ましくは、前記指示器ベースの下端面には二つのゴム球が左右対称的に固定的に装着され、前記指示器ベースの下端面にはロープが固定的に設置され、前記ロープの下端には錨が固定的に設置され、前記ゴム球が中空材質であり、前記ガラス板が透明防塵材質である。
【発明の効果】
【００１４】
本発明の有益効果は：本装置は暗礁の近くに装着され、太陽エネルギーと風力エネルギーとを利用して発電でき、非常に環境にやさしく、夜の時に海上の風向の変化によって照明をつけ、また旋転往復の照射によって指示を提供し、更に目立つであり、近くの船に暗礁の存在を注意し、船が暗礁にぶつかって危険をもたらすことを避ける。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の環境配慮型の海上船舶指示設備の全体全断面の正面構成模式図
【図２】図２は図１のＡのところの拡大模式図
【図３】図３は図１のＢのところの拡大模式図
【図４】図４は図１のＣ―Ｃ方向の模式図
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。    
【００１８】
図１〜４に記載の環境配慮型の海上船舶指示設備の機械機構模式図を交え、本発明の環境配慮型の海上船舶指示設備は、指示器ベース１０と指示器頂部７０とを含み、前記指示器頂部７０が前記指示器ベース１０の上端面と固定的に連結される。
【００１９】
前記指示器頂部７０の中には左右端壁が外部空間に連通している作業チャンバ２７が設置され、前記作業チャンバ２７の中には風力発電機構８０が設置され、前記風力発電機構８０は左右対称の二つのファン羽根３５を含み、前記ファン羽根３５が回転でき、前記作業チャンバ２７の後端壁には発電機２９が左右対称的に装着され、前記ファン羽根３５が回転する時、前記発電機２９により発電できる。
【００２０】
前記指示器ベース１０の中には上方へ開口した旋転溝１１が設置され、前記旋転溝１１の中には指示機構８１が設置され、前記指示機構８１は回転できる電源４６を含み、前記電源４６の中には上下に運動できるプラグ６７が設置され、前記プラグ６７の上端面には磁石ブロック６９が固定的に設置され、前記プラグ６７の左右両側には前記プラグ６７に連通している指示灯４３が対称的に設置され、前記風力発電機構８０が発電して電気を前記電源４６の中に貯蔵することができ、前記風力発電機構８０と前記磁石ブロック６９との間には吸引力が存在し、前記風力発電機構８０が作動する中で前記磁石ブロック６９との間の吸引力が小さくなり、これにより前記プラグ６７が前記電源４６の中に差し込まれ、これにより二つの前記指示灯４３が通電して発光する。
【００２１】
前記指示機構８１の下側には動力機構８２が設置され、前記プラグ６７を前記電源４６の中に差し込んだ時に前記動力機構８２を作動させられ、前記動力機構８２が前記指示機構８１を連動させて往復に正逆回転させることができる。
【００２２】
更に、前記風力発電機構８０を詳しく説明し、前記風力発電機構８０はまた前記作業チャンバ２７の後端壁に回転できるように連結された中心軸２８を含み、前記中心軸２８には磁石ロッド２６と半ギヤ２５とが固定的に設置され、前記半ギヤ２５が前記磁石ロッド２６の前側に位置しており、前記発電機２９のうち前記中心軸２８から離れている端面には発電軸３０が回転できるように設置され、前記発電軸３０の中には前記中心軸２８から離れている方向へ開口した弾性溝３１が設置され、前記弾性溝３１の上下端壁には移動溝３２が対称的に設置され、前記弾性溝３１のうち前記中心軸２８に近接している端壁には弾性ばね３３が固定的に設置され、前記弾性ばね３３のうち前記中心軸２８から離れている一端には右端が外部空間の中に位置しているファン軸３６が固定的に設置され、前記弾性溝３１の中の前記ファン軸３６の上下端面には前記移動溝３２とスライドできるように連結された移動ロッド３４が固定的に設置され、前記作業チャンバ２７の中の前記ファン軸３６には円形板３７が固定的に設置され、外部空間の中の前記ファン軸３６には四つの前記ファン羽根３５が固定的に設置されている。
【００２３】
前記指示器頂部７０の左右端面には雨よけ板２０が固定的に設置され、前記作業チャンバ２７の上端壁には下方へ開口した弾力溝２１が設置され、前記弾力溝２１の右端壁には弾力ばね２４が固定的に設置され、前記弾力ばね２４の左端には前記弾力溝２１とスライドできるように連結された弾力ロッド２２が固定的に設置され、前記弾力ロッド２２の下端が前記作業チャンバ２７の中に位置しており、また前記弾力ロッド２２の下端には第一ラック２３が固定的に設置され、前記作業チャンバ２７の下端壁の中には水平移動溝４１が設置され、前記水平移動溝４１が上方へ開口しており、前記水平移動溝４１の左端壁には水平移動ばね４０が固定的に設置され、前記水平移動ばね４０の右端には前記水平移動溝４１とスライドできるように連結された水平移動ロッド３９が固定的に設置され、前記水平移動ロッド３９の上端が前記作業チャンバ２７の中に位置しており、また前記水平移動ロッド３９の上端には第二ラック３８が固定的に設置されている。
【００２４】
更に、前記指示機構８１を詳しく説明し、前記指示機構８１はまた前記旋転溝１１の上端壁の中に位置している頂部チャンバ１８を含み、前記頂部チャンバ１８の上端壁が前記作業チャンバ２７に連通しており、前記頂部チャンバ１８と前記旋転溝１１とが円形溝４５により連通され、前記円形溝４５の外端壁にはガラス板４４が嵌設され、前記指示灯４３と前記プラグ６７とが導電ロッド６８により連通され、前記プラグ６７と前記電源４６とが二つの圧力ばね６６により固定的に連結され、前記電源４６と二つの前記発電機２９とが二つの第一電線１９により連通され、前記旋転溝１１の端壁の中には環状溝１７が設置され、前記電源４６には前記環状溝１７とスライドできるように連結された弧状板１６が左右対称的に固定的に設置され、前記電源４６の下端面には底部ブロック４７が固定的に設置されている。
【００２５】
有益的には、前記動力機構８２は前記旋転溝１１の下端壁と固定的に連結された動力モータ５０を含み、前記動力モータ５０と前記プラグ６７とが第二電線４８により連通され、前記動力モータ５０の上端面には動力軸６５が回転できるように設置され、前記動力軸６５には第一セクタギヤ５４と第二セクタギヤ５５とが固定的に設置され、前記第二セクタギヤ５５が前記第一セクタギヤ５４の上側に位置しており、前記動力軸６５の左側には前記旋転溝１１の下端壁と回転できるように連結された第一出力軸５７が設置され、前記第一出力軸５７には第一伝動ギヤ５６と第二伝動ギヤ５８とが固定的に設置され、前記第二伝動ギヤ５８が前記第一伝動ギヤ５６の上側に位置しており、前記第一伝動ギヤ５６と前記第二セクタギヤ５５とが伝動可能に噛み合い、前記動力軸６５の右側には前記旋転溝１１の下端壁と回転できるように連結された第二出力軸６４と第三出力軸４９とが設置され、前記第三出力軸４９が前記第二出力軸６４の右側に位置しており、前記第二出力軸６４の上端には頂部ギヤ６３が固定的に設置され、前記第三出力軸４９には第一連動ギヤ６２と第二連動ギヤ６１とが固定的に設置され、前記第一連動ギヤ６２が前記第二連動ギヤ６１の下側に位置しており、前記第一連動ギヤ６２と前記頂部ギヤ６３とが伝動可能に噛み合い、前記電源４６の下端面の中心には粗軸６０が固定的に設置され、前記粗軸６０には大ギヤ５９が固定的に設置され、前記大ギヤ５９がそれぞれ前記第二伝動ギヤ５８と前記第二連動ギヤ６１と伝動可能に噛み合っている。
【００２６】
有益的には、前記底部ブロック４７と前記電源４６とが連通され、前記底部ブロック４７の中には弧状溝１４が設置され、前記弧状溝１４の中には弧状ブロック１２が左右対称的にスライドできるように設置され、前記弧状ブロック１２のうち前記底部ブロック４７から離れている端面には支持ロッド１３が固定的に設置され、前記支持ロッド１３のうち前記底部ブロック４７から離れている一端が外部空間に位置しており、また前記支持ロッド１３のうち前記底部ブロック４７から離れている一端にはソーラーパネル１５が固定的に設置されている。
【００２７】
有益的には、前記磁石ロッド２６と前記磁石ブロック６９との間には吸引力が存在し、前記圧力ばね６６が引っ張られる状態にある。
【００２８】
有益的には、前記指示器ベース１０の下端面には二つのゴム球５３が左右対称的に固定的に装着され、前記指示器ベース１０の下端面にはロープ５１が固定的に設置され、前記ロープ５１の下端には錨５２が固定的に設置され、前記ゴム球５３が中空材質であり、前記ガラス板４４が透明防塵材質である。
【００２９】
装置全体の機械作動の順序は：
【００３０】
１：装置を海上の暗礁の近くに置き、装置を固定し、二つのゴム球５３と一つの錨５２が装置に浮力を提供する。
【００３１】
２：昼の時、風が右側から吹いてきて、右側のファン羽根３５を連動させて回転させ、これにより右側のファン羽根３５を左方へ推し動かし、円形板３７がファン羽根３５とともに左方へ運動し、第二ラック３８を推し動かして左方へ運動させ、ファン軸３６がファン羽根３５とともに回転し、移動ロッド３４と移動溝３２とが伝動され、これにより発電軸３０を連動させて回転させ、発電軸３０が回転して発電機２９を発電させ、第一電線１９の伝導により電源４６に充電する。
【００３２】
３：二つのソーラーパネル１５が太陽光を吸収して電気エネルギーに転換し、底部ブロック４７の伝導により電源４６に充電する。
【００３３】
４：夜の時、風が左側から吹いてきて、左側のファン羽根３５を連動させて回転させ、また左側のファン羽根３５を推し動かして右方へ運動させ、左側の円形板３７が右方へ運動し、第一ラック２３を推し動かして右方へ運動させて半ギヤ２５と噛み合わせて動力を伝達し、半ギヤ２５を連動させて回転させ、磁石ロッド２６が半ギヤ２５とともに百八十度回転し、磁石ロッド２６と磁石ブロック６９との間の吸引力が小さくなり、圧力ばね６６が復帰し、プラグ６７を引き動かして電源４６の中に差し込み、導電ロッド６８の伝導により指示灯４３が通電発光する。
【００３４】
５：第二電線４８の伝導により動力モータ５０が通電して起動し、動力モータ５０が動力軸６５を連動させて回転させ、これにより第一セクタギヤ５４と第二セクタギヤ５５とを連動させて回転させ、第二セクタギヤ５５と第一伝動ギヤ５６との噛み合い伝動により第一伝動ギヤ５６を連動させて回転させ、第二伝動ギヤ５８が第一伝動ギヤ５６とともに回転し、第二伝動ギヤ５８と大ギヤ５９との噛み合い伝動により大ギヤ５９を連動させて回転させる。
【００３５】
６：電源４６が大ギヤ５９とともに百八十度回転し、二つの指示灯４３を連動させて百八十度回転させ、第一セクタギヤ５４が百八十度回転した後に頂部ギヤ６３と噛み合い、頂部ギヤ６３を連動させて回転させ、頂部ギヤ６３と第一連動ギヤ６２との噛み合い伝動により第一連動ギヤ６２を連動させて回転させ、第二連動ギヤ６１が第一連動ギヤ６２とともに回転し、第二連動ギヤ６１と大ギヤ５９との噛み合い伝動により二つの指示灯４３を連動させて百八十度回転させる。
【００３６】
７：二つの指示灯４３が往復に百八十度回転して目立つ信号を提供できる。
【００３７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020203662.tif 000003
【図２】
2020203662.tif 000004
【図３】
2020203662.tif 000005
【図４】
2020203662.tif 000006
【手続補正書】
【提出日】令和2年1月13日(2020.1.13)
【手続補正１】
【補正対象書類名】特許請求の範囲
【補正対象項目名】全文
【補正方法】変更
【補正の内容】
【特許請求の範囲】
【請求項１】
正面視で、指示器ベースと指示器頂部とを含み、前記指示器頂部が前記指示器ベースの上端面と固定的に連結され、前記指示器頂部の中には左右端壁が外部空間に連通している作業チャンバが設置され、前記作業チャンバの中には風力発電機構が設置され、前記風力発電機構は左右対称の二つのファン羽根を含み、前記ファン羽根が回転でき、前記作業チャンバの後端壁には発電機が左右対称的に装着され、前記ファン羽根が回転する時、前記発電機により発電でき、前記指示器ベースの中には上方へ開口した旋転溝が設置され、前記旋転溝の中には指示機構が設置され、前記指示機構は回転できる電源を含み、前記電源の中には上下に運動できるプラグが設置され、前記プラグの上端面には磁石ブロックが固定的に設置され、前記プラグの左右両側には前記プラグに連通している指示灯が対称的に設置され、前記風力発電機構が発電して電気を前記電源の中に貯蔵することができ、前記風力発電機構と前記磁石ブロックとの間には吸引力が存在し、前記風力発電機構が作動する中で前記磁石ブロックとの間の吸引力が小さくなり、これにより前記プラグが前記電源の中に差し込まれ、これにより二つの前記指示灯が通電して発光し、前記指示機構の下側には動力機構が設置され、前記プラグを前記電源の中に差し込んだ時に前記動力機構を作動させられ、前記動力機構が前記指示機構を連動させて往復に正逆回転させることができることを特徴とする環境配慮型の海上船舶指示設備。
【請求項２】
前記風力発電機構はまた前記作業チャンバの後端壁に回転できるように連結された中心軸を含み、前記中心軸には磁石ロッドと半ギヤとが固定的に設置され、前記半ギヤが前記磁石ロッドの前側に位置しており、前記発電機のうち前記中心軸から離れている端面には発電軸が回転できるように設置され、前記発電軸の中には前記中心軸から離れている方向へ開口した弾性溝が設置され、前記弾性溝の上下端壁には移動溝が対称的に設置され、前記弾性溝のうち前記中心軸に近接している端壁には弾性ばねが固定的に設置され、前記弾性ばねのうち前記中心軸から離れている一端には右端が外部空間の中に位置しているファン軸が固定的に設置され、前記弾性溝の中の前記ファン軸の上下端面には前記移動溝とスライドできるように連結された移動ロッドが固定的に設置され、前記作業チャンバの中の前記ファン軸には円形板が固定的に設置され、外部空間の中の前記ファン軸には四つの前記ファン羽根が固定的に設置されていることを特徴とする請求項１に記載の環境配慮型の海上船舶指示設備。
【請求項３】
前記指示器頂部の左右端面には雨よけ板が固定的に設置され、前記作業チャンバの上端壁には下方へ開口した弾力溝が設置され、前記弾力溝の右端壁には弾力ばねが固定的に設置され、前記弾力ばねの左端には前記弾力溝とスライドできるように連結された弾力ロッドが固定的に設置され、前記弾力ロッドの下端が前記作業チャンバの中に位置しており、また前記弾力ロッドの下端には第一ラックが固定的に設置され、前記作業チャンバの下端壁の中には水平移動溝が設置され、前記水平移動溝が上方へ開口しており、前記水平移動溝の左端壁には水平移動ばねが固定的に設置され、前記水平移動ばねの右端には前記水平移動溝とスライドできるように連結された水平移動ロッドが固定的に設置され、前記水平移動ロッドの上端が前記作業チャンバの中に位置しており、また前記水平移動ロッドの上端には第二ラックが固定的に設置されていることを特徴とする請求項２に記載の環境配慮型の海上船舶指示設備。
【請求項４】
前記指示機構はまた前記旋転溝の上端壁の中に位置している頂部チャンバを含み、前記頂部チャンバの上端壁が前記作業チャンバに連通しており、前記頂部チャンバと前記旋転溝とが円形溝により連通され、前記円形溝の外端壁にはガラス板が嵌設され、前記指示灯と前記プラグとが導電ロッドにより連通され、前記プラグと前記電源とが二つの圧力ばねにより固定的に連結され、前記電源と二つの前記発電機とが二つの第一電線により連通され、前記旋転溝の端壁の中には環状溝が設置され、前記電源には前記環状溝とスライドできるように連結された弧状板が左右対称的に固定的に設置され、前記電源の下端面には底部ブロックが固定的に設置されていることを特徴とする請求項２に記載の環境配慮型の海上船舶指示設備。
【請求項５】
前記動力機構は前記旋転溝の下端壁と固定的に連結された動力モータを含み、前記動力モータと前記プラグとが第二電線により連通され、前記動力モータの上端面には動力軸が回転できるように設置され、前記動力軸には第一セクタギヤと第二セクタギヤとが固定的に設置され、前記第二セクタギヤが前記第一セクタギヤの上側に位置しており、前記動力軸の左側には前記旋転溝の下端壁と回転できるように連結された第一出力軸が設置され、前記第一出力軸には第一伝動ギヤと第二伝動ギヤとが固定的に設置され、前記第二伝動ギヤが前記第一伝動ギヤの上側に位置しており、前記第一伝動ギヤと前記第二セクタギヤとが伝動可能に噛み合い、前記動力軸の右側には前記旋転溝の下端壁と回転できるように連結された第二出力軸と第三出力軸とが設置され、前記第三出力軸が前記第二出力軸の右側に位置しており、前記第二出力軸の上端には頂部ギヤが固定的に設置され、前記第三出力軸には第一連動ギヤと第二連動ギヤとが固定的に設置され、前記第一連動ギヤが前記第二連動ギヤの下側に位置しており、前記第一連動ギヤと前記頂部ギヤとが伝動可能に噛み合い、前記電源の下端面の中心には粗軸が固定的に設置され、前記粗軸には大ギヤが固定的に設置され、前記大ギヤがそれぞれ前記第二伝動ギヤと前記第二連動ギヤと伝動可能に噛み合っていることを特徴とする請求項１に記載の環境配慮型の海上船舶指示設備。
【請求項６】
前記底部ブロックと前記電源とが連通され、前記底部ブロックの中には弧状溝が設置され、前記弧状溝の中には弧状ブロックが左右対称的にスライドできるように設置され、前記弧状ブロックのうち前記底部ブロックから離れている端面には支持ロッドが固定的に設置され、前記支持ロッドのうち前記底部ブロックから離れている一端が外部空間に位置しており、また前記支持ロッドのうち前記底部ブロックから離れている一端にはソーラーパネルが固定的に設置されていることを特徴とする請求項４に記載の環境配慮型の海上船舶指示設備。
【請求項７】
前記磁石ロッドと前記磁石ブロックとの間には吸引力が存在し、前記圧力ばねが引っ張られる状態にあることを特徴とする請求項４に記載の環境配慮型の海上船舶指示設備。
【請求項８】
前記指示器ベースの下端面には二つのゴム球が左右対称的に固定的に装着され、前記指示器ベースの下端面にはロープが固定的に設置され、前記ロープの下端には錨が固定的に設置され、前記ゴム球が中空材質であり、前記ガラス板が透明防塵材質であることを特徴とする請求項４に記載の環境配慮型の海上船舶指示設備。